(57)【特許請求の範囲】
【請求項１】
出力端子を有する筐体内に回路基板が収納されるとともに、前記出力端子から筐体内の空間中に引き出された芯線が前記回路基板の接続部分に接続された構造の衛星放送受信用コンバータにおいて、
空間中に引き出された前記芯線に前記筐体のアース部分を近接させるとともに、空間中に引き出された前記芯線が絶縁部材で被覆されており、かつ、前記絶縁部材の外側が導電性を有することを特徴とする衛星放送受信用コンバータ。
【請求項２】
出力端子を有する筐体内に回路基板が収納されるとともに、前記出力端子から筐体内の空間中に引き出された芯線が前記回路基板の接続部分に接続された構造の衛星放送受信用コンバータにおいて、
空間中に引き出された前記芯線に前記筐体とは別のアース部品を近接配置させるとともに、空間中に引き出された前記芯線が絶縁部材で被覆されており、かつ、前記絶縁部材の外側が導電性を有することを特徴とする衛星放送受信用コンバータ。
【請求項３】
出力端子を有する筐体内に回路基板が収納されるとともに、前記出力端子から筐体内の空間中に引き出された芯線が前記回路基板の接続部分に接続された構造の衛星放送受信用コンバータにおいて、
空間中に引き出された前記芯線に前記筐体の前面側のアース部分又は前記筐体の前面側に取り付けられたアース部品を近接配置させるとともに、前記筐体の後面側のアース部分を内側に凹ませて前記芯線に近接させる一方、空間中に引き出された前記芯線が絶縁部材で被覆されており、かつ、前記絶縁部材の外側が導電性を有することを特徴とする衛星放送受信用コンバータ。
【請求項４】
出力端子を有する筐体内に回路基板が収納されるとともに、前記出力端子から筐体内の空間中に引き出された芯線が前記回路基板の接続部分に接続された構造の衛星放送受信用コンバータにおいて、
空間中に引き出された前記芯線に前記筐体のアース部分を近接させるとともに、空間中に引き出された前記芯線が絶縁部材で被覆されており、かつ、前記絶縁部材の外側が金属部材で被覆されていることを特徴とする衛星放送受信用コンバータ。
【請求項５】
出力端子を有する筐体内に回路基板が収納されるとともに、前記出力端子から筐体内の空間中に引き出された芯線が前記回路基板の接続部分に接続された構造の衛星放送受信用コンバータにおいて、
空間中に引き出された前記芯線に前記筐体とは別のアース部品を近接配置させるとともに、空間中に引き出された前記芯線が絶縁部材で被覆されており、かつ、前記絶縁部材の外側が金属部材で被覆されていることを特徴とする衛星放送受信用コンバータ。
【請求項６】
出力端子を有する筐体内に回路基板が収納されるとともに、前記出力端子から筐体内の空間中に引き出された芯線が前記回路基板の接続部分に接続された構造の衛星放送受信用コンバータにおいて、
空間中に引き出された前記芯線に前記筐体の前面側のアース部分又は前記筐体の前面側に取り付けられたアース部品を近接配置させるとともに、前記筐体の後面側のアース部分を内側に凹ませて前記芯線に近接させる一方、空間中に引き出された前記芯線が絶縁部材で被覆されており、かつ、前記絶縁部材の外側が金属部材で被覆されていることを特徴とする衛星放送受信用コンバータ。
【請求項７】
空間中に引き出された前記芯線を平板状に形成して前記アース部分又は前記アース部品との対向面積を広くしたことを特徴とする請求項１、２、３、４、５又は６に記載の衛星放送受信用コンバータ。
【発明の詳細な説明】
【０００１】
【発明の属する技術分野】
本発明は、回路基板とこの回路基板に芯線が接続された出力端子とが筐体内に収納された構造の衛星放送受信用コンバータに係り、より詳細には出力リターンロスを改善した衛星放送受信用コンバータに関する。
【０００２】
【従来の技術】
一般に、衛星放送受信用コンバータにおいては、図７に示すように、フィードホーン９３の焦点位置９１と、衛星放送受信用コンバータ（以下、ＬＮＢと略記する）の取り付け位置９２との位置関係が固定されている場合が多い。その理由は、この位置関係が固定されていることによって、ユーザサイドにおいて図示しないアンテナとＬＮＢとの接続構造を共通化できる利点があるからである。
【０００３】
このような従来の構造では、回路基板９５と出力端子（Ｆコネクタ）９６の芯線９７の近傍まで延設した状態で、芯線９７を回路基板９５に接続していた。
【０００４】
しかしながら、ＬＮＢにおいては、回路基板９５はテフロン製など特殊な材料を用いる場合が多いため、回路基板９５はできるだけ小さい方が価格的にも有利である。
【０００５】
一方、最近では、部品のＩＣ化及び回路基板パターンの小型化等により、回路基板９５を小さくしてコストダウンを図る場合が多いが、この場合でも、焦点位置９１とＬＮＢの取り付け位置９２との位置関係は固定されているため、図８に示すように、芯線９７を回路基板９５の接続部分まで伸ばして接続する必要があった。
【０００６】
【発明が解決しようとする課題】
しかしながら、図８に示すように、芯線９７を単純に回路基板９５の接続部分まで伸ばしただけの構造では、芯線９７が空間中に出てしまうためにインダクタンス成分が発生し、出力端子９６との間に不整合が生じ、ＬＮＢの基本性能である出力リターンロスが悪化するといった問題があった。
【０００７】
本発明はこのような問題点を解決すべく創案されたものであって、その目的は、芯線部分が長くなることによって生じるインダクタンス成分に対して、インピーダンス整合を取ることによって出力リターンロスの改善を図った衛星放送受信用コンバータを提供することにある。
【０００８】
【課題を解決するための手段】
上記課題を解決するため、請求項１に記載の発明は、出力端子を有する筐体内に回路基板が収納されるとともに、前記出力端子から筐体内の空間中に引き出された芯線が前記回路基板の接続部分に接続された構造の衛星放送受信用コンバータにおいて、空間中に引き出された前記芯線に前記筐体のアース部分を近接させるとともに、空間中に引き出された前記芯線が絶縁部材で被覆されており、かつ、前記絶縁部材の外側が導電性を有することを特徴としている。すなわち、近接させた芯線部分と筐体のアース部分との間に容量成分が生じ、芯線部分が長くなることによって生じるインダクタンス成分に対してインピーダンス整合が取れ、また、絶縁部材で被覆することによって芯線が筐体に接触することなくインピーダンス整合が取れ、さらに、芯線を絶縁部材で被覆することによって芯線が筐体に接触せず、かつ外側の導電性を有する部分で良好なアース状態を形成できることによってインピーダンス整合が取れるため、出力リターンロスの悪化を改善することができる。
【０００９】
また、請求項２に記載の発明は、出力端子を有する筐体内に回路基板が収納されるとともに、前記出力端子から筐体内の空間中に引き出された芯線が前記回路基板の接続部分に接続された構造の衛星放送受信用コンバータにおいて、空間中に引き出された前記芯線に前記筐体とは別のアース部品を近接配置させるとともに、空間中に引き出された前記芯線が絶縁部材で被覆されており、かつ、前記絶縁部材の外側が導電性を有することを特徴としている。すなわち、近接させた芯線部分とアース部品との間に容量成分が生じ、芯線部分が長くなることによって生じるインダクタンス成分に対してインピーダンス整合が取れ、また、絶縁部材で被覆することによって芯線が筐体に接触することなくインピーダンス整合が取れ、さらに、芯線を絶縁部材で被覆することによって芯線が筐体に接触せず、かつ外側の導電性を有する部分で良好なアース状態を形成できることによってインピーダンス整合が取れるため、出力リターンロスの悪化を改善することができる。
【００１０】
また、請求項３に記載の発明は、出力端子を有する筐体内に回路基板が収納されるとともに、前記出力端子から筐体内の空間中に引き出された芯線が前記回路基板の接続部分に接続された構造の衛星放送受信用コンバータにおいて、空間中に引き出された前記芯線に前記筐体の前面側のアース部分又は前記筐体の前面側に取り付けられたアース部品を近接配置させるとともに、前記筐体の後面側のアース部分を内側に凹ませて前記芯線に近接させる一方、空間中に引き出された前記芯線が絶縁部材で被覆されており、かつ、前記絶縁部材の外側が導電性を有することを特徴としている。すなわち、近接させた芯線部分と筐体の前面側のアース部分又はアース部品との間、及び近接させた芯線部分と筐体の後面側のアース部分との間に容量成分が生じ、芯線部分が長くなることによって生じるインダクタンス成分に対してインピーダンス整合が取れ、また、絶縁部材で被覆することによって芯線が筐体に接触することなくインピーダンス整合が取れ、さらに、芯線を絶縁部材で被覆することによって芯線が筐体に接触せず、かつ外側の導電性を有する部分で良好なアース状態を形成できることによってインピーダンス整合が取れるため、出力リターンロスの悪化を改善することができる。
【００１１】
また、請求項４に記載の発明は、出力端子を有する筐体内に回路基板が収納されるとともに、前記出力端子から筐体内の空間中に引き出された芯線が前記回路基板の接続部分に接続された構造の衛星放送受信用コンバータにおいて、空間中に引き出された前記芯線に前記筐体のアース部分を近接させるとともに、空間中に引き出された前記芯線が絶縁部材で被覆されており、かつ、前記絶縁部材の外側が金属部材で被覆されていることを特徴としている。すなわち、近接させた芯線部分と筐体のアース部分との間に容量成分が生じ、芯線部分が長くなることによって生じるインダクタンス成分に対してインピーダンス整合が取れ、また、絶縁部材で被覆することによって芯線が筐体に接触することなくインピーダンス整合が取れ、さらに、芯線を絶縁部材で被覆することによって芯線が筐体に接触せず、かつ絶縁部材の外側を金属部材で被覆して、絶縁部材の周囲に良好なアース状態を形成することによってインピーダンス整合が取れるため、出力リターンロスの悪化を改善することができる。
【００１２】
また、請求項５に記載の発明は、出力端子を有する筐体内に回路基板が収納されるとともに、前記出力端子から筐体内の空間中に引き出された芯線が前記回路基板の接続部分に接続された構造の衛星放送受信用コンバータにおいて、空間中に引き出された前記芯線に前記筐体とは別のアース部品を近接配置させるとともに、空間中に引き出された前記芯線が絶縁部材で被覆されており、かつ、前記絶縁部材の外側が金属部材で被覆されていることを特徴としている。すなわち、近接させた芯線部分とアース部品との間に容量成分が生じ、芯線部分が長くなることによって生じるインダクタンス成分に対してインピーダンス整合が取れ、また、絶縁部材で被覆することによって芯線が筐体に接触することなくインピーダンス整合が取れ、さらに、芯線を絶縁部材で被覆することによって芯線が筐体に接触せず、かつ絶縁部材の外側を金属部材で被覆して、絶縁部材の周囲に良好なアース状態を形成することによってインピーダンス整合が取れるため、出力リターンロスの悪化を改善することができる。
【００１３】
また、請求項６に記載の発明は、出力端子を有する筐体内に回路基板が収納されるとともに、前記出力端子から筐体内の空間中に引き出された芯線が前記回路基板の接続部分に接続された構造の衛星放送受信用コンバータにおいて、空間中に引き出された前記芯線に前記筐体の前面側のアース部分又は前記筐体の前面側に取り付けられたアース部品を近接配置させるとともに、前記筐体の後面側のアース部分を内側に凹ませて前記芯線に近接させる一方、空間中に引き出された前記芯線が絶縁部材で被覆されており、かつ、前記絶縁部材の外側が金属部材で被覆されていることを特徴としている。すなわち、近接させた芯線部分と筐体の前面側のアース部分又はアース部品との間、及び近接させた芯線部分と筐体の後面側のアース部分との間に容量成分が生じ、芯線部分が長くなることによって生じるインダクタンス成分に対してインピーダンス整合が取れ、また、絶縁部材で被覆することによって芯線が筐体に接触することなくインピーダンス整合が取れ、さらに、芯線を絶縁部材で被覆することによって芯線が筐体に接触せず、かつ絶縁部材の外側を金属部材で被覆して、絶縁部材の周囲に良好なアース状態を形成することによってインピーダンス整合が取れるため、出力リターンロスの悪化を改善することができる。
【００１４】
また、請求項７に記載の発明は、請求項１、２、３、４、５又は６に記載の衛星放送受信用コンバータにおいて、空間中に引き出された前記芯線を平板状に形成して前記アース部分又は前記アース部品との対向面積を広くしたことを特徴としている。すなわち、対向面積が増えることにより、芯線部分とアース部分又はアース部品との間の容量成分を増加させることができるので、より良好なインピーダンス整合が取れるため、出力リターンロスの悪化を改善することができる。
【００１５】
【発明の実施の形態】
以下、本発明の実施の形態について、図面を参照して説明する。
【００１６】
図１は、本発明の衛星放送受信用コンバータ（ＬＮＢ）の一実施の形態を示す断面図であり、請求項１、４に対応している。
【００１７】
同図に示すように、フィードホーン３の焦点位置１と、ＬＮＢの取り付け位置２との位置関係は固定されており、また、回路基板５はコストダウン等のために小型化されている。そのため、筐体（以下、シャーシという）４の下部に設けられたＦコネクタ６の芯線７を、シャーシ４内の空間中に伸ばした（引き出した）形で回路基板５に接続している。ここで、本実施の形態では、この空間中に引き出した芯線７に対向するシャーシ４の金属部分（アース部分）８を、芯線７に近接させるように形成する。これにより、近接させたシャーシ４の金属部分８と芯線７との間に容量成分が生じ、芯線７が長くなることによって生じるインダクタンス成分に対してインピーダンス整合が取れるため、出力リターンロスの悪化を改善することができる。図６は、このときの出力ＶＳＷＲ（ｖｏｌｔａｇｅ  ｓｔａｎｄｉｎｇ  ｗａｖｅ  ｒａｔｉｏ）  の改善状況を示している。本実施の形態により、出力リターンロスとして、１．４５ＧＨｚのポイントで、５ｄＢ以上の改善が実現できている。
【００１８】
なお、本実施の形態では、シャーシ４で金属部分８を形成しているが、シャーシ４の代わりに導電性ゴムの別部品で金属部分８を形成してもよい。この構成は請求項２、５に対応している。
【００１９】
また、図２（ａ）は、本発明のＬＮＢの他の実施の形態を示す断面図、同図（ｂ）はＡ−Ａ線に沿う部分拡大断面図であり、この実施の形態も請求項２、５に対応してる。
【００２０】
本実施の形態では、図１に示す構成に加え、空間中に引き出した芯線７の全周にアース部分を形成するために、金属材や導電性ゴム材で形成したアース部品１０を、金属部分８に対して固定ビス９，９で固定することによって、アース部品１０を芯線７に近接して設けたものである。これにより、芯線７は、金属部分８とアース部品１０とでその全周が囲まれる形となる。そのため、芯線７と金属部分８及びアース部品１０との間に容量成分が生じ、芯線７が長くなることによって生じるインダクタンス成分に対してインピーダンス整合が取れるため、出力リターンロスの悪化を改善することができる。
【００２１】
図３（ａ）は、本発明のＬＮＢのさらに他の実施の形態を示す断面図、同図（ｂ）はＢ−Ｂ線に沿う部分拡大断面図であり、この実施の形態は請求項３、６に対応してる。
【００２２】
この実施の形態では、図１に示す構成において、図２に示したようなアース部品１０を取り付けるのではなく、シャーシ４の後面側にある裏蓋１１を凹ませることにより、この凹み部分１１ａを空間中に引き出した芯線７に近接させたものである。すなわち、芯線７を金属部分８と凹み部分１１ａとで挟み込んだ形状としている。これにより、芯線７と金属部分８との間、及び芯線７と凹み部分１１ａとの間に容量成分が生じ、芯線７が長くなることによって生じるインダクタンス成分に対してインピーダンス整合が取れるため、出力リターンロスの悪化を改善することができる。
【００２３】
図４（ａ）は、本発明のＬＮＢのさらに他の実施の形態を示す断面図、同図（ｂ）はＣ−Ｃ線に沿う部分拡大断面図であり、この実施の形態は請求項１〜６に対応してる。
【００２４】
この実施の形態では、図１に示す構成に加え、芯線７を絶縁チューブ１２（同図（ｂ）参照）で被覆したものである。すなわち、絶縁チューブ１２で被覆することによって、芯線７が金属部分８に接触することなくインピーダンス整合が取れるため、出力リターンロスの悪化を改善することができる。
【００２５】
また、この実施の形態では、絶縁チューブ１２として、外側が導電性を有する絶縁チューブを使用することが可能である。または、図４に示すように、絶縁チューブ１２をさらに金属シート１３で被覆してもよい。このようにすると、芯線７を絶縁チューブ１２で被覆することによって芯線７が金属部分８に接触せず、かつ絶縁チューブ１２の周囲に良好なアース状態を形成できることによってインピーダンス整合が取れるため、出力リターンロスの悪化を改善することができる。  図５（ａ）は、本発明のＬＮＢのさらに他の実施の形態を示す断面図、同図（ｂ）はＤ−Ｄ線に沿う部分拡大断面図であり、この実施の形態は請求項７に対応してる。
【００２６】
この実施の形態では、空間中に引き出された芯線１４を平板状に形成して、金属部分８との対向面積を広くしたものである。すなわち、対向面積が増えることにより、芯線１４と金属部分８との間の容量成分を増加させることができるので、より良好なインピーダンス整合が取れるため、出力リターンロスの悪化を改善することができる。
【００２７】
【発明の効果】
本発明によれば、小型化された回路基板の接続部分に出力端子から芯線を空間中に引き出して接続した構造であっても、空間中に引き出された芯線に発生するインダクタンス成分に対してインピーダンス整合が取れるため、出力リターンロスの少ない良好で安価な衛星放送受信用コンバータを形成することができる。
【図面の簡単な説明】
【図１】本発明の衛星放送受信用コンバータの一実施の形態を示す断面図である。
【図２】（ａ）は本発明の衛星放送受信用コンバータの他の実施の形態を示す断面図、同図（ｂ）はＡ−Ａ線に沿う部分拡大断面図である。
【図３】（ａ）は本発明の衛星放送受信用コンバータのさらに他の実施の形態を示す断面図、同図（ｂ）はＢ−Ｂ線に沿う部分拡大断面図である。
【図４】（ａ）は本発明の衛星放送受信用コンバータのさらに他の実施の形態を示す断面図、同図（ｂ）はＣ−Ｃ線に沿う部分拡大断面図である。
【図５】（ａ）は本発明の衛星放送受信用コンバータのさらに他の実施の形態を示す断面図、同図（ｂ）はＤ−Ｄ線に沿う部分拡大断面図である。
【図６】本発明の衛星放送受信用コンバータと従来の衛星放送受信用コンバータとによる出力ＶＳＷＲ（ｖｏｌｔａｇｅ  ｓｔａｎｄｉｎｇ  ｗａｖｅ  ｒａｔｉｏ）  の改善状況を比較して示すグラフである。
【図７】従来の衛星放送受信用コンバータの構造を示す断面図である。
【図８】従来の衛星放送受信用コンバータの構造を示す断面図である。
【符号の説明】
４  シャーシ
５  回路基板
６  Ｆコネクタ（出力端子）
７、１４  芯線
８  金属部分
１０  アース部品
１１  裏蓋
１１ａ  凹み部分
１２  絶縁チューブ
１３  金属シート
【図１】
0003609639.tif 000002
【図２】
0003609639.tif 000003
【図３】
0003609639.tif 000004
【図４】
0003609639.tif 000005
【図５】
0003609639.tif 000006
【図６】
0003609639.tif 000007
【図７】
0003609639.tif 000008
【図８】
0003609639.tif 000009